(57)【要約】【課題】色々な場所に設置することができ、設置場所にて、天然木から放散する放散剤の効果を得ることができる放散器を提供する。【解決手段】放散器１０は、天然木の複数の木製部材により形成された本体部１１を有するものである。本体部１１は、一方の木製部材１２の凸部１２ａと他方の木製部材１３の凹部１３ａとを直線的な操作により嵌合させて、複数の木製部材を連結する組木により形成されている。そして、凸部１２ａと凹部１３ａとにより嵌合したときに、一方の木製部材１２と他方の木製部材１３とが接触する嵌合面１２ｓ，１３ｓのいずれか一方に、放散剤が配置される貯留部１２ｐが形成されている。【選択図】図１
2019080779.tif 000002
【特許請求の範囲】
【請求項１】
天然木の複数の木製部材により形成された本体部を有する放散器であって、
前記本体部は、一方の木製部材の凸部と他方の木製部材の凹部とを直線的な操作により嵌合させて、前記複数の木製部材を連結する組木により形成され、
前記凸部と前記凹部とが嵌合したときに、前記一方の木製部材と前記他方の木製部材とが向き合う嵌合面のいずれか一方に、放散剤が配置される貯留部が形成された放散器。
【請求項２】
前記凸部と前記凹部とは、前記嵌合面に対して平行に嵌合するものである請求項１記載の放散器。
【請求項３】
前記凸部は前記一方の木製部材に複数形成され、前記凹部は、前記凸部に対応して前記他方の木製部材に複数形成され、前記凸部および前記凹部は平行に形成された請求項２記載の放散器。
【請求項４】
前記凸部と前記凹部とは、前記嵌合面に対して垂直に嵌合するものである請求項１記載の放散器。
【請求項５】
前記他方の木製部材の凹部の深さは、前記一方の木製部材の凸部の突出長さより深く形成され、
前記凹部を前記貯留部に兼用させた請求項１から４のいずれかの項に記載の放散器。
【請求項６】
前記本体部には、車両の空気調整機の吹き出し口に取り付けるための取付部材が設けられた請求項１から５のいずれかの項に記載の放散器
【請求項７】
前記本体部の外側面に、溝が形成された請求項１から６のいずれかの項に記載の放散器。
【請求項８】
前記一方の木製部材または前記他方の木製部材のいずれか一方に造形物が形成された請求項１から７のいずれかの項に記載の放散器。
【請求項９】
前記一方の木製部材と前記他方の木製部材とが連結されて造形物をなす請求項１から８のいずれかの項に記載の放散器。
【発明の詳細な説明】
【技術分野】
【０００１】
本発明は、芳香剤や消臭剤、殺虫剤、抗菌剤等の揮散性液剤を浸透させて放散させる天然木による放散器に関するものである。
【背景技術】
【０００２】
天然木に、芳香剤や消臭剤、殺虫剤、抗菌剤等の揮散性液剤を浸透させ、天然木からゆっくりと放散させることで、周囲を心地よい香りで満たしたり、悪臭を除去したり、蚊や蝿などを忌避したりする放散器の一例として、香油を放散させるものが特許文献１に記載されている。
【０００３】
特許文献１に記載の香油拡散器は、上部中央に凹所を有する液体浸透材を天然木または素焼きの陶材から形成した容器と、その凹所を気密的に密閉する蓋と、容器を載置するトレイからなるものであり、凹所内に香油を含浸させた保留材が内装されたものである。
【先行技術文献】
【特許文献】
【０００４】
【特許文献１】実開平２−８４４４号公報
【発明の概要】
【発明が解決しようとする課題】
【０００５】
しかし、この特許文献１に記載の香油拡散器では、容器の凹所が蓋で気密的に閉じられているとあるが、蓋は球状であり、凹所の口縁に外接して凹所を閉じているだけである。従って、この香油拡散器が転倒したときには蓋が外れ、凹所の香油を含浸させた保留材が飛び出してしまうおそれがある。
そのため、特許文献１に記載の香油拡散器は、接触するおそれが無いような場所にしか設置できないため、設置場所が限られる。
【０００６】
そこで本発明は、色々な場所に設置することができ、設置場所にて、天然木から放散する放散剤の効果を得ることができる放散器を提供することを目的とする。
【課題を解決するための手段】
【０００７】
本発明は、天然木の複数の木製部材により形成された本体部を有する放散器であって、前記本体部は、一方の木製部材の凸部と他方の木製部材の凹部とを直線的な操作により嵌合させて、前記複数の木製部材を連結する組木により形成され、前記凸部と前記凹部とが嵌合したときに、前記一方の木製部材と前記他方の木製部材とが向き合う嵌合面のいずれか一方に、放散剤が配置される貯留部が形成されたことを特徴とする。
【０００８】
本発明の放散器によれば、木製部材の凸部と凹部とが噛み合い嵌合することで、嵌合面同士が隙間無く接触しているため、横になっても、嵌合面が貯留部の開口をしっかりと閉鎖している。そのため、嵌合面同士の間から、貯留部からの放散剤の漏れが防止できる。また、一方の木製部材または他方の木製部材のいずれかを、直線的に移動させる操作で、凸部と凹部とを互いに反対方向にスライドさせることで外すことができる。従って、貯留部を露出させ、芳香剤を補充することができる。
【０００９】
前記凸部と前記凹部とは、前記嵌合面に対して平行に嵌合するものとすることができる。
【００１０】
前記凸部は前記一方の木製部材に複数形成され、前記凹部は、前記凸部に対応して前記他方の木製部材に複数形成され、前記凸部および前記凹部は平行に形成されたものとすることができる。凸部と凹部とが対をなし、複数形成されていることで接触面積を増加させることができるので、更にしっかりと嵌合させることができる。
また、前記凸部と前記凹部とは、前記嵌合面に対して垂直に嵌合するものとすることができる。
【００１１】
前記他方の木製部材の凹部の深さを、前記一方の木製部材の凸部の突出長さより深く形成することで、前記凹部を前記貯留部に兼用させることができる。
【００１２】
前記本体部には、車両の空気調整機の吹き出し口に取り付けるための取付部材が設けられていると、車内に放散器を設置することができ、吹き出し口からの風により車内中に芳香剤の香りを幅広く放散させることができる。
【００１３】
前記本体部の外側面に、溝が形成されていると、表面積を増加させることができるため放散量を増加させることができる。
【００１４】
前記一方の木製部材または前記他方の木製部材のいずれか一方に造形物を形成することもできる。また、前記一方の木製部材と前記他方の木製部材とが連結されて造形物をなすようにすることができる。
【発明の効果】
【００１５】
本発明の放散器によれば、横になっても、嵌合面が貯留部の開口をしっかりと閉鎖しているため、嵌合面同士の間から、貯留部からの放散剤が漏れることが防止できるので、色々な場所に設置することができ、設置場所にて、天然木から放散する放散剤の効果を得ることができる。
【図面の簡単な説明】
【００１６】
【図１】本発明の実施の形態１に係る放散器を示す図であり、（Ａ）は組み合わせた状態の斜視図、（Ｂ）は分解斜視図である。
【図２】本発明の実施の形態２に係る放散器を示す図であり、（Ａ）は組み合わせた状態の斜視図、（Ｂ）は分解斜視図である。
【図３】本発明の実施の形態３に係る放散器を示す図であり、（Ａ）は組み合わせた状態の斜視図、（Ｂ）は分解斜視図である。
【図４】本発明の実施の形態４に係る放散器を示す図であり、（Ａ）は組み合わせた状態の斜視図、（Ｂ）は分解斜視図である。
【図５】本発明の実施の形態５に係る放散器の斜視図である。
【図６】本発明の実施の形態６に係る放散器の一部を示す斜視図である。
【図７】本発明の実施の形態７に係る放散器の一部を示す斜視図である。
【発明を実施するための形態】
【００１７】
（実施の形態１）
本発明の実施の形態１に係る放散器を図面に基づいて説明する。
図１（Ａ）および同図（Ｂ）に示す放散器１０は、内部に充填された放散剤の一例である芳香剤を放散させ、芳香器として機能するものである。放散器１０は、天然木の複数の木製部材により形成された本体部１１を有する。天然木としては、楠や檜、杉などが使用できる。
【００１８】
本体部１１は、一方の木製部材１２の凸部１２ａと他方の木製部材１３の凹部１３ａとを直線的な操作により嵌合させて、複数の木製部材１２，１３を連結する組木により形成されている。本体部１１は、組み立てたときに、直方体状に形成されている。
凸部１２ａは、側面の位置から中央部まで、嵌合面１２ｓに沿って長さＬ１であり、頭頂面が嵌合面１２ｓ，１３ｓと平行に形成され、突出方向に向かうに従って幅Ｗ１が拡がる台形状の蟻ほぞである。
凸部１２ａと嵌合する凹部１３ａは、凸部１２ａと同様に、側面の位置から中央部までに形成され、深さ方向に向かうに従って幅Ｗ２が拡がる台形状の蟻溝である。
【００１９】
凸部１２ａが形成された木製部材１２と、凹部１３ａが形成された木製部材１３とが向き合う面が、凸部１２ａと凹部１３ａとにより嵌合したときに、木製部材１２と木製部材１３とが向き合う嵌合面１２ｓ，１３ｓとなる。この嵌合面１２ｓには、芳香剤が配置される貯留部１２ｐが形成されている。貯留部１２ｐは、嵌合面１２ｓが研削されることで形成された穴である。
【００２０】
このように放散器１０が形成されていることで、木製部材１２の貯留部１２ｐに貯留された芳香剤が、貯留部１２ｐの内側面から木製部材１２の内部に浸透すると共に、貯留部１２ｐに面した木製部材１３の嵌合面１３ｓから木製部材１３の内部に浸透する。そして、芳香剤は、木製部材１２，１３の外側面から放散して、周囲へ拡散する。
【００２１】
木製部材１２，１３は、凸部１２ａと凹部１３ａとが噛み合い嵌合することで嵌合面１２ｓ，１３ｓ同士が隙間無く接触しているため、放散器１０が横になっても、嵌合面１３ｓが貯留部１２ｐの開口をしっかりと閉鎖しているため、嵌合面１２ｓ，１３ｓ同士の間から、貯留部１２ｐからの放散剤が漏れることが防止できる。
従って、放散器１０は、居間や台所、トイレ、浴室、作業場などの建屋内だけでなく、車内などの移動するものなど、色々な場所に設置することができ、設置場所にて、天然木から放散する放散剤の効果を得ることができる。また、放散剤としてアロマオイル等を使用することで、リラックス効果が期待できる。
【００２２】
特許文献１に記載の香油拡散器では、球状の蓋が凹所の口縁に外接して、蓋が容器の凹所の開口を塞いているが、例えば、蓋と容器をペットボトルの飲み口のように、ねじ式とすることも考えられる。しかし、香油を含浸させた保留材を凹所に内装する容器は、天然木で形成されているため、香油の補充のために蓋を開け閉めしていると、雄ねじ部と雌ねじ部とが摩耗して、しっかりと閉められなくなる可能性がある。
【００２３】
放散器１０では、木製部材１２または木製部材１３のいずれかを、嵌合面１２ｓ，１３ｓと平行に、凸部１２ａと凹部１３ａとの嵌合方向と反対方向となる離間方向Ｆ１に沿って直線的に移動させる操作で、凸部１２ａと凹部１３ａとを互いに反対方向にスライドさせることで、木製部材１２から木製部材１３を、または木製部材１３から木製部材１２を外すことができる。従って、貯留部１２ｐを露出させ、芳香剤を補充することができるので、無理なく、木製部材１２，１３を分離した状態とすることができ、芳香剤を補充することで放散器１０を長い期間使用することができる。
【００２４】
（実施の形態２）
本発明の実施の形態２に係る放散器について図面に基づいて説明する。
図２（Ａ）および同図（Ｂ）に示す放散器２０は、凹部２２ａが形成された一方の木製部材２２と、凸部２３ａが形成された他方の木製部材２３とを有する本体部２１を備えている。
【００２５】
本体部２１は、木製部材２２（他方の木製部材）の凹部２２ａと木製部材２３（一方の木製部材）の凸部２３ａとを直線的な操作により嵌合させて、複数の木製部材２２，２３を連結する組木により形成されている。本体部２１は、組み立てたときに、直方体状に形成されている。
【００２６】
凹部２２ａは、嵌合面２２ｓから垂直に深さＤ２に形成されている。
凸部２３ａは、凹部２２ａと同様に、嵌合面２３ｓから垂直に形成された四角柱である。凸部２３ａは高さＨ２に形成されている。
貯留部２２ｐは、凹部２２ａの深さＤ２を凸部２３ａの突出長さである高さＨ２より深く形成されていることで、凸部２３ａと嵌合する凹部２２ａと兼用している。
【００２７】
このように放散器２０が形成されていることで、木製部材２２の貯留部２２ｐに貯留された芳香剤が、貯留部２２ｐの内側面から木製部材２２の内部に浸透すると共に、貯留部２２ｐに面した木製部材２３の凸部２３ａから木製部材２３の内部に浸透する。そして、芳香剤は、木製部材２２，２３の外側面から放散して、周囲へ拡散する。
【００２８】
木製部材２３の凸部２３ａが木製部材２３の凹部２２ａにしっかりと奥深く嵌合することで、嵌合面２２ｓ，２３ｓ同士が隙間無く接触しているため、放散器２０が横になっても、凸部２３ａが凹部２２ａの蓋となり、貯留部２２ｐの開口をしっかりと閉鎖しているので、嵌合面２２ｓ，２３ｓ同士の間から、貯留部２２ｐからの芳香剤が漏れることが防止できる。
【００２９】
本体部２１においては、貯留部２２ｐに芳香剤を補充するときには、放散器２０を設置したときに上側となる木製部材２３を木製部材２２から、凸部２３ａと凹部２２ａとの離間方向Ｆ２に沿って垂直に持ち上げるような、直線的な操作を行う。そうすることで、凸部２３ａが垂直に凹部２２ａから引き抜かれるため、木製部材２３を木製部材２２から取り外すことができるので、芳香剤を充填することができる。従って、無理なく、木製部材２２，２３を分離した状態とすることができる。
【００３０】
（実施の形態３）
本発明の実施の形態３に係る放散器について図面に基づいて説明する。
図３（Ａ）および同図（Ｂ）に示す放散器３０は、第１凸部３２ａおよび第１凹部３２ｂが形成された一方の木製部材３２と、第２凹部３３ａと第２凸部３３ｂが形成された他方の木製部材３３とを有する本体部３１を備えている。
【００３１】
本体部３１は、一方の木製部材３２の第１凸部３２ａおよび第１凹部３２ｂと、他方の木製部材３３の第２凹部３３ａおよび第２凸部３３ｂとを直線的な操作により嵌合させて、複数の木製部材３２，３３を連結する組木により形成されている。本体部３１は、組み立てたときに、直方体状に形成されている。
【００３２】
木製部材３２と木製部材３３とが嵌合したときに、木製部材３２と木製部材３３とが接触する嵌合面３２ｓ，３３ｓのうち、放散器３０の下側に位置する木製部材３２の嵌合面３２ｓの第１凹部３２ｂの位置に、芳香剤が充填される貯留部３２ｐが形成されている。
【００３３】
嵌合面３２ｓ，３３ｓには、本体部３１の天面３１ａの一方の端部から、底面３１ｂの他方の端部に向かって、傾斜しながら上下方向にジグザクしながら分割することで、木製部材３２側に第１凹部３２ｂおよび第１凸部３２ａが並んで形成され、木製部材３３側に、第２凹部３３ａおよび第２凸部３３ｂが並んで形成されている。
【００３４】
木製部材３２の第１凸部３２ａと木製部材３３の第２凹部３３ａ、木製部材３２の第１凹部３２ｂと木製部材３３の第２凸部３３ｂとが、しっかりと嵌合することで、嵌合面３２ｓ，３３ｓ同士が隙間無く接触しているため、放散器３０が横になっても、嵌合面３３ｓが貯留部３２ｐの開口をしっかりと閉鎖しているので、嵌合面３２ｓ，３３ｓ同士の間から、貯留部３２ｐからの芳香剤が漏れることが防止できる。
【００３５】
放散器３０では、木製部材３２または木製部材３３のいずれかを、嵌合面３２ｓ，３３ｓと平行に、離間方向Ｆ３に沿って直線的に移動させる操作によりスライドさせることで、木製部材３２から木製部材３３を、または木製部材３３から木製部材３２を外すことができる。従って、貯留部３２ｐを露出させ、芳香剤を補充することができる。従って、無理なく、木製部材２２，２３を分離した状態とすることができる。
【００３６】
（実施の形態４）
本発明の実施の形態４に係る放散器について図面に基づいて説明する。
図４（Ａ）および同図（Ｂ）に示す放散器４０は、第１凸部４２ａおよび第２凸部４２ｂが形成された一方の木製部材４２と、第１凹部４３ａと第２凹部４３ｂが形成された他方の木製部材４３とを有する本体部４１を備えている。
【００３７】
第１凸部４２ａと第２凸部４２ｂとは、木製部材４２の幅方向に沿って平行に形成され、一方の端面から他方の端面まで断面が同形状に形成されている。また、第１凹部４３ａと第２凹部４３ｂも同様に、木製部材４３の幅方向に沿って平行に、第１凸部４２ａと第２凸部４２ｂに対応する形状に形成されている。
【００３８】
本体部４１は、一方の木製部材４２の第１凸部４２ａおよび第２凸部４２ｂと、他方の木製部材４３の第１凹部４３ａおよび第２凹部４３ｂとを、嵌合面４２ｓ，４３ｓに平行する幅方向に沿った直線的な操作により嵌合させて、複数の木製部材４２，４３を連結する組木により形成されている。本体部４１は、組み立てたときに、直方体状に形成されている。
【００３９】
木製部材４２と木製部材４３とが嵌合したときに、木製部材４２と木製部材４３とが接触する嵌合面４２ｓ，４３ｓのうち、放散器４０の下側に位置する木製部材４２の嵌合面４２ｓの第１凸部４２ａと第２凸部４２ｂとの間の位置に、芳香剤が充填される貯留部４２ｐが形成されている。
【００４０】
第１凸部４２ａおよび第２凸部４２ｂは、嵌合面４２ｓ側の基端部より、第１凹部４３ａおよび第２凹部４３ｂの底面となる先端部が幅広に形成されている。また、第１凸部４２ａおよび第２凸部４２ｂに嵌合する第１凹部４３ａおよび第２凹部４３ｂも、開口部より底部の方が幅広く形成されている。そのため、第１凸部４２ａまたは第２凸部４２ｂと交差する方向に、木製部材４２または木製部材４３をスライドさせることができない。
【００４１】
このように、複数の対をなす、木製部材３２の第１凸部４２ａと木製部材３３の第１凹部４３ａとがしっかりと嵌合し、木製部材４２の第２凸部４２ｂと木製部材４３の第２凹部４３ｂとがしっかりと嵌合することで、嵌合面４２ｓ，４３ｓ同士が隙間無く接触している。そのため、放散器４０が横になっても、嵌合面４３ｓが貯留部４２ｐの開口をしっかりと閉鎖しているので、嵌合面４２ｓ，４３ｓ同士の間から、貯留部４２ｐからの芳香剤が漏れることが防止できる。
【００４２】
木製部材３２には凸部（第１凸部４２ａ，第２凸部４２ｂ）が２本形成され、木製部材３３には凹部（第１凹部４３ａ，第２凹部４３ｂ）が２本形成されているが、３本以上でもよい。凸部および凹部が複数形成され、対をなすことで、接触面積を増加させることができるので、更にしっかり嵌合させることができる。
【００４３】
（実施の形態５）
本発明の実施の形態５に係る放散器を図面に基づいて説明する。
図５に示す放散器５０の本体部５１は、実施の形態１の木製部材１２（図１（Ｂ）参照）の凸部１２ａに、木製部材５３として干支のねずみを象った造形物の凹部５３ａを嵌合したものである。
木製部材５３としてねずみが象られているため、放散器５０を子年に飾る場合に好適である。また、造形物をねずみや他の動物、人形とすることにより、放散器５０を置物としても使用することができる。
【００４４】
本実施の形態５では、木製部材１２と木製部材５３のうち、放散器５０を設置したときに上側となる木製部材５３をねずみに象っているが、一方の木製部材と他方の木製部材とが連結されて造形物をなすようにしてもよい。
【００４５】
（実施の形態６）
本発明の実施の形態６に係る放散器を図面に基づいて説明する。
本実施の形態６に係る放散器は、例えば、本体部１１，２１，４１，５１（図１〜図５参照）の下側に位置する木製部材１２，２２，４２に、図６に示すように、車両に搭載された空気調整機の吹き出し口に取り付けるための取付部材６０が設けられている。
【００４６】
この取付部材６０は、吹き出し口のルーバの羽根を挟み込むクリップにより形成されている。
このように本体部１１，２１，３１，４１，５１の木製部材１２，２２，３２，４２に、取付部材６０が設けられていることにより、車内に放散器を設置することができ、吹き出し口からの風により車内中に芳香剤の香りを幅広く放散させることができる。
従って、放散剤としてアロマオイル等を使用することで、車内で手軽な感覚でアロマオイルの香りが楽しめ、リラックスした状態で運転することができるため、運転中のストレス解消やイライラの軽減が期待できる。また、車内で、森林浴のような感覚を得ることができる。
また、芳香剤を自然由来のものとすれば、木製部材１２，２２，３２，４２，５３から滲み出る芳香剤の自然で安全な香りを車内で楽しむことができる。
【００４７】
更に、車両が走行して振動しても、しっかりと木製部材１３，２３，３３，４３，５３（図１〜図５参照）が木製部材１２，２２，３２，４２に密着した状態で貯留部１２ｐ，２２ｐ，３２ｐ，４２ｐと、図５に示す本体部５１の貯留部（図示せず）に蓋をするため、貯留部１２ｐ，２２ｐ，３２ｐ，４３ｐの芳香剤が漏れ出ることはない。
【００４８】
なお、本実施の形態６では、取付部材６０を木製部材１２，２２，３２，４２に設けていたが、木製部材１３，２３，３３，４３，５３側に取付部材６０を設けるようにしてもよい。
更に、本実施の形態６では、本体部を、空気調整機の吹き出し口に取り付けるための取付部材６０として、吹き出し口のルーバの羽根を挟み込むＵ字状のクリップとしたが、取付部材は、吹き出し口に固定できれば他の形状のものでもよい。
例えば、上下方向の羽根が左右方向に並ぶ第１のルーバと、第１のルーバの奥に位置し、左右方向の羽根が上下方向に並ぶ第２のルーバとにより、吹き出し口が形成されているときに、第１のルーバの羽根と、第２ルーバの羽根とが重なってできる十字部分を挟み込むように、４本が突出するクリップを取付部材としてもよい。
【００４９】
（実施の形態７）
本発明の実施の形態７に係る放散器を図面に基づいて説明する。
本実施の形態７に係る放散器は、例えば、本体部１１，２１，３１，４１（図１〜図４参照）の上側に位置する木製部材１３，２３，３３，４３のいずれかの外側面に、図７に示すように、溝６１が形成されている。溝６１は直線状のＶ字溝である。
このように、木製部材１３，２３，３３，４３（本体部）の外側面に溝６１が形成されていることにより、表面積が増えるため、放散量を増加させることができる。
図７に示す溝６１は、直線状のＶ字溝が１本形成されているが、曲線状としたり、格子状としたりすることができる。また、溝６１をＶ字溝とする以外に、Ｕ字溝とすることができる。
また、溝６１は、木製部材１３，２３，３３，４３の天面に形成されているが、側面に形成されていてもよい。更に、溝６１を、図１から図４に示す木製部材１２，２２，３２，４２の外側面に形成することができる。
なお、図５に示す放散器５０の木製部材５３にも溝を形成することもできる。その場合、造形物の形状に邪魔にならない位置に形成することが望ましい。
【００５０】
なお、実施の形態１から７に係る放散器１０〜４０（図１〜図４参照）では、木製部材１２，１３、木製部材２２，２３、木製部材３２，３３および木製部材４２，４３を組み合わせると、立方体または直方体に形成されていたが、例えば、球状、三角錐状、円柱状、異形状など各種の立体形状とすることができる。
【産業上の利用可能性】
【００５１】
本発明の放散器は、組木により形成されているため、玄関やリビング、トイレに設置してインテリアとするだけでなく、人目に触れない箪笥や収納箱に収納することで放散剤の効果を得たい場合でも使用できる。
【符号の説明】
【００５２】
１０，２０，３０，４０，５０  放散器
１１，２１，３１，４１，５０  本体部
１２，１３，２２，２３，３２，３３，４２，４３，５３  木製部材
１２ａ，２３ａ  凸部
１３ａ，２２ａ，４３ａ，５３ａ  凹部
３２ａ，４２ａ  第１凸部
３２ｂ，４３ａ  第１凹部
３３ａ，４３ｂ  第２凹部
３３ｂ，４２ｂ  第２凸部
１２ｓ，１３ｓ，２２ｓ，２３ｓ，３２ｓ，３３ｓ，４２ｓ，４３ｓ  嵌合面
１２ｐ，２２ｐ，３２ｐ，４２ｐ  貯留部
３１ａ  天面
３１ｂ  底面
６０  取付部材
６１  溝
Ｌ１  長さ
Ｗ１，Ｗ２  幅
Ｈ２  高さ
Ｄ２  深さ
Ｆ１，Ｆ２，Ｆ３  離間方向
【図１】
2019080779.tif 000003
【図２】
2019080779.tif 000004
【図３】
2019080779.tif 000005
【図４】
2019080779.tif 000006
【図５】
2019080779.tif 000007
【図６】
2019080779.tif 000008
【図７】
2019080779.tif 000009